(57)【要約】【課題】  ザッピングによる所望番組の見逃しを防ぐと共に、ザッピング終了後の所望番組の再生の簡略化と利便性を向上させた情報処理装置を提供する。【解決手段】  アンカー番組の登録設定を行い（Ｓ４０１）、次に、アンカー番組から他の番組への番組切替が行われた否かを検出し（Ｓ４０２）、番組切替が検出された場合には、アンカー番組に対する録画を開始する（Ｓ４０３）。アンカー番組の録画中に、他の番組からアンカー番組への切替えがされたか否かを検出し（Ｓ４０４）、アンカー番組への切替えが検出された場合には、アンカー番組の録画を継続しながら、記録されているアンカー番組の記録データを先頭から再生する（Ｓ４０５）。【選択図】      図５
2006311389.tif 000002
【特許請求の範囲】
【請求項１】
放送データを受信し、所望の番組を選択して出力する複数の受信手段と、
前記受信手段からの出力データを記録する記録手段と、
前記受信手段からの出力データおよび前記記録手段に記録されたデータを再生する再生手段と、
特定の番組をアンカー番組として登録する登録手段と、
前記アンカー番組から他の番組に切替えられたことを検出する切替え検出手段と、
前記切替え手段により番組の切り替えが検出された場合に、前記記録手段により前記登録手段で登録された前記アンカー番組の放送データの記録を開始する記録開始手段と、
を備えたことを特徴とする情報処理装置。
【請求項２】
前記記録開始手段により記録が開始された後に、前記アンカー番組が再度選択されたことを検出する再検出手段をさらに備え、
再検出手段により、前記アンカー番組が再度選択されたことが検出された場合に、前記記録手段に記録された前記アンカー番組のデータを前記再生手段により再生することを特徴とする請求項１記載の情報処理装置。
【請求項３】
請求項２記載の情報処理装置において、
再検出手段により、前記アンカー番組が再度選択されたことが検出された場合に、前記再生手段は、前記記録手段に記録された前記アンカー番組の先頭のデータから再生することを特徴とする情報処理装置。
【請求項４】
請求項２記載の情報処理装置において、
再検出手段により、前記アンカー番組が再度選択されたことが検出された場合に、前記再生手段は、前記記録手段に記録された前記アンカー番組の先頭のデータより所定時間進めた時点のデータから再生することを特徴とする情報処理装置。
【請求項５】
請求項２乃至４のいずれか一つに記載の情報処理装置において、
再検出手段により、前記アンカー番組が再度選択されたことが検出された場合に、前記アンカー番組の記録を継続させることを特徴とする情報処理装置。
【請求項６】
請求項５に記載の情報処理装置において、
継続された前記アンカー番組の記録を、その番組の終了時刻で停止させることを特徴とする情報処理装置。
【請求項７】
情報処理装置を制御する制御プログラムにおいて、
放送データを受信し、所望の番組を選択して出力する受信手段からの出力データを記録する記録機能と、
前記受信手段からの出力データおよび前記記録機能により記録されたデータを再生する再生機能と、
特定の番組をアンカー番組として登録する登録機能と、
前記アンカー番組から他の番組に切替えられたことを検出する切替え検出機能と、
前記切替え手段により番組の切り替えが検出された場合に、前記アンカー番組の放送データの記録を開始する記録開始機能と、
を備えたことを特徴とする制御プログラム。
【請求項８】
前記記録開始機能により記録が開始された後に、前記アンカー番組が再度選択されたことを検出する再検出機能をさらに備え、
再検出機能により、前記アンカー番組が再度選択されたことが検出された場合に、記録された前記アンカー番組のデータを前記再生機能により再生させることを特徴とする請求項７記載の制御プログラム。
【請求項９】
請求項８に記載の制御プログラムにおいて、
再検出機能により、前記アンカー番組が再度選択されたことが検出された場合に、前記アンカー番組の記録を継続させることを特徴とする制御プログラム。
【請求項１０】
請求項９に記載の情報処理装置において、
継続された前記アンカー番組の記録を、その番組の終了時刻で停止させることを特徴とする制御プログラム。
【発明の詳細な説明】
【技術分野】
【０００１】
本発明は、放送を受信し、記録する情報処理装置及び制御プログラムに関する。
【背景技術】
【０００２】
TV番組の視聴において、コマーシャル等、視聴者の興味対象外の放送がなされたとき、手元のリモコンを利用して、他のチャンネルへ切り替えを行い、ある時間後に元のチャンネルに戻す操作がしばしば行われる。この操作はザッピングと呼ばれている。ザッピング中に視聴していた番組が再開されても、視聴者がそれを知る手段はなく、チャンネルを戻すタイミングを誤ると、再開した放送の最初の部分を見逃してしまうことがしばしばある。
【０００３】
そのため、視聴中の番組を登録しておき、視聴者が他のチャンネルに切り替えた際に、所定時間後に元のチャンネルに復帰させるようにする方法が提案されている（例えば、特許文献１参照）。
【０００４】
また、複数のチューナを備え、視聴者の所望の番組を録画しつつ、その番組が切り替えられた場合にその切り替えられたタイミングを記憶しておき、元の所望の番組に戻す操作が行われた場合にそのタイミングに合わせて録画されたデータの再生を行うようにしてザッピングによる視聴見逃しを防ぐようにする方法が提案されている。（例えば、特許文献２参照）。
【特許文献１】特開２００４−３６３７７４号公報
【特許文献２】特開２００２−１８５８９９号公報
【発明の開示】
【発明が解決しようとする課題】
【０００５】
しかしながら特許文献１記載の方法では、元の番組に復帰させる所定時間の設定は難しく、必ずしも所望の番組の見逃しを防ぐことはできない。
また、特許文献２記載の方法では、ザッピングにより所望番組の見逃しは防ぐことができるが、常にその番組を録画していなければならない。また、ザッピング後に元の番組に戻った際、番組切り替えを行ったタイミングに遡って録画データが再生されるが、切り替えられたタイミングを記録しておく必要がある。さらには、視聴者が興味対象外の放送開始をきっかけに視聴者によりザッピングが行われた場合には、番組の戻し操作後も興味対象外の放送録画データから再生されたり、或いは視聴者はさらに興味のある部分まで早送り等の操作をする必要があった。
【０００６】
そこで、本発明では、ザッピングによる所望番組の見逃しを防ぐと共に、ザッピング終了後の所望番組の再生の簡略化と利便性を向上させた情報処理装置を提供することを目的とする。
【課題を解決するための手段】
【０００７】
上記目的を達成するために、本発明の情報処理装置は、放送データを受信し、所望の番組を選択して出力する複数の受信手段と、前記受信手段からの出力データを記録する記録手段と、前記受信手段からの出力データおよび前記記録手段に記録されたデータを再生する再生手段と、特定の番組をアンカー番組として登録する登録手段と、前記アンカー番組から他の番組に切替えられたことを検出する切替え検出手段と、前記切替え手段により番組の切り替えが検出された場合に、前記記録手段により前記登録手段で登録された前記アンカー番組の放送データの記録を開始する記録開始手段とを備える。
【０００８】
また、本発明の制御プログラムは、放送データを受信し、所望の番組を選択して出力する受信手段からの出力データを記録する記録機能と、前記受信手段からの出力データおよび前記記録機能により記録されたデータを再生する再生機能と、特定の番組をアンカー番組として登録する登録機能と、前記アンカー番組から他の番組に切替えられたことを検出する切替え検出機能と、前記切替え手段により番組の切り替えが検出された場合に、前記アンカー番組の放送データの記録を開始する記録開始機能とを備える。
【発明の効果】
【０００９】
本発明によれば、ザッピングによる所望番組の見逃しを防ぐと共に、ザッピング終了後の所望番組の再生の簡略化と利便性を向上させた情報処理装置を提供することができる。
【発明を実施するための最良の形態】
【００１０】
以下、本発明の情報処理装置について、図面を参照しながら説明する。
【実施例１】
【００１１】
図１は、本発明の情報処理装置の第１の実施例であるノートＰＣ（Ｐｅｒｓｏｎａｌ  Ｃｏｍｐｕｔｅｒ）１０のシステム構成を示す図である。ノートＰＣ１０は、全体の動作の制御を行う制御部２０１と、デジタル放送を受信するチューナ部２０２及び２０３と、主メモリ２０４と、チューナ部２０２及び２０３からの受信した映像データを記録するＨＤＤ（Ｈａｒｄ  Ｄｉｓｋ  Ｄｒｉｖｅ）２０５（記録手段）と、グラフィックコントローラ２０６と、ＬＣＤ（Ｌｉｑｕｉｄ  Ｃｒｉｓｔａｌ  Ｄｉｓｐｌａｙ）２０７（表示画面）と、キーボード、マウス、リモコン等からなる入力装置２０８と、チューナ２０２から受信した受信信号から、番組データとしてＥＰＧ（Ｅｌｅｃｔｒｏｎｉｃ  Ｐｒｏｇｒａｍ  Ｇｕｉｄｅ）を取得するＥＰＧ処理部２１０とから構成される。
【００１２】
制御部２０１は、ＣＰＵ（Ｃｅｎｔｒａｌ  Ｐｒｏｃｅｓｓｉｎｇ  Ｕｎｉｔ）から構成され、ノートＰＣ１０全体の動作を制御する。制御部２０１はＨＤＤ２０５から主メモリ２０４にロードされるオペレーティングシステム（ＯＳ）および映像制御プログラム２０９（制御プログラム）を実行し、ユーザにチューナ部２０２および２０３から受信した映像を記録させたり、視聴させることができる。
【００１３】
チューナ部２０２は、デジタル放送を受信し、所定のチャネルの映像データを出力する。より具体的には、ＲＦ信号をベースバンド信号に周波数変換しデジタル復調及び復号処理を行った上で、このデジタル信号のストリームから所望のＴＳ（Ｔｒａｎｓｐｏｒｔ  Ｓｔｒｅａｍ）信号を抜き出してＰＳ（Ｐｒｏｇｒａｍ  Ｓｔｒｅａｍ）信号に変換する。
【００１４】
チューナ部２０３は、チューナ部２０２と同様にデジタル放送を受信し、動作する。
ＨＤＤ２０５は、チューナ部２０２、２０３からの受信データを、映像制御プログラム２０９の制御の下で記録する。
ＥＰＧ処理部２１０は、チューナ２０２或いはチューナ２０３から受信する受信データを解析し、ＥＰＧを取得する。図２は、ＥＰＧで得られる番組表の一部の例である。図２に示したように、其々のチャネルの番組、番組の放送開始時間、放送終了時間が取得できる。また、図２には図示していないが、番組のジャンル（例えばスポーツ、ドラマ、映画等）や、番組の内容等も取得することができる。また、例えばスポーツ中継等により放送時間が変更になった場合には、ＥＰＧ処理部２１０が取得するＥＰＧにより、変更後の放送時間を取得することが可能である。尚、本実施例では、デジタル放送の付随情報としてＥＰＧを取得しているが、例えばＡＤＡＭＳ（登録商標、ＴＶ−Ａｓａｈｉ  Ｄａｔａ  Ａｎｄ  Ｍｕｌｔｉｍｅｄｉａ  Ｓｅｒｖｉｃｅ）等の地上波放送に重畳されて配信されるもの、インターネットを介してサービスプロバイダが提供するもの等を取得しても良い。
【００１５】
映像制御プログラム２０９は、圧縮符号化された動画像データを記録したり、記録したデータをデコードおよび再生するためのソフトウエアであり、図３に示すように、映像データをＨＤＤ２０５へ記録するための記録部３０３（記録機能）と、ＨＤＤ２０５に記録された映像データを再生するための再生部３０４（再生機能）と、視聴者が視聴番組として特定するアンカー番組を登録するアンカー番組登録部３０５と、アンカー番組から他の番組への番組切替え、およびその逆の切替え（他の番組からアンカー番組への戻り切替）を検出する番組切替検出部３０６とを備えている。
【００１６】
記録部３０３は、チューナ部２０２、２０３からの受信データをＨＤＤ２０５に記録させる。再生部３０４は、ＨＤＤ２０５に記録された映像データを読み出してＬＣＤ２０７に再生表示させるものである。アンカー登録部３０５は、視聴者であるユーザより、チューナ部２０２，２０３で受信可能な番組の中から特定の番組が入力装置２０８を介して入力があった場合に、その番組データをメモリ２０４に記録する。図４はアンカー番組登録画面３０７の例であり、ユーザがリモコン等のアンカー番組登録ボタン（図示しない）を押すと、ＬＣＤ２０７に表示される。図４の例では、現在視聴中の番組データ（放送日時、チャネル、番組タイトル、開始時刻、終了時刻）が予め収集してＨＤＤ２０５に記憶されたＥＰＧ（Ｅｌｅｃｔｒｏｎｉｃ  Ｐｒｏｇｒａｍ  Ｇｕｉｄｅ）情報から抽出されて表示される。ユーザが「登録」ボタンをクリックすると、その番組がアンカー番組として登録される。番組データとしては少なくとも番組（チャネル）が登録されれば良く、その他の項目は必ずしも入力を必要としない。番組切替検出部３０６は、ユーザにより登録されたアンカー番組が、リモコン等の入力装置２０８により他の番組に切替えられたことを検出する。また、他の番組への切替えを検出した場合には、記録部３０３に対してアンカー番組の記録開始を要求し、アンカー番組の記録を開始させる。アンカー番組の記録中に、他の番組から再度アンカー番組への戻し切替えを検出した場合には、再生部３０４に対してＨＤＤ２０５に記録したアンカー番組のデータを先頭から再生するよう指示し、記録されたアンカー番組を再生する。アンカー番組の登録解除は、先述のアンカー番組登録ボタンを押し、「解除」ボタンをクリックすることで解除される。また、登録されたアンカー番組の放送終了時刻に達した場合には自動的に解除される。
【００１７】
次に、本発明の第１の実施例であるノートＰＣ１０の動作について図５のフローチャートを用いて説明する。
まず、図４のアンカー番組登録画面３０７より、アンカー番組の登録設定が行われる（Ｓ４０１）。次に、アンカー番組から他の番組への番組切替が行われた否かを検出し（Ｓ４０２）、番組切替が検出された場合には、アンカー番組に対するＨＤＤ２０５への録画を開始する（Ｓ４０３）。アンカー番組の録画中に、他の番組からアンカー番組への切替えがされたか否かを検出し（Ｓ４０４）、アンカー番組への切替えが検出された場合には、アンカー番組の録画を継続しながら、ＨＤＤ２０５に記録されたアンカー番組の記録データを先頭から再生する（Ｓ４０５）。
【００１８】
このように本実施例によれば、アンカー番組の登録を行うことで、ユーザがザッピングにより他の番組に切り替えたときに自動的にアンカー番組の録画が開始するため、視聴したい所望の番組（アンカー番組）をザッピング中に見逃すことはない。また、ザッピング後にアンカー番組へ戻った際には、単に記録したアンカー番組の先頭のデータより再生させるだけで、ユーザが番組を切り替えたタイミングに合わせて再生させることができる。また、記録したアンカー番組のデータを再生中もアンカー番組の記録が継続するため、アンカー番組を見逃すこともない。また、アンカー番組の録画の継続は、アンカー番組の終了時刻で自動的に停止するので、無駄な記録も無くなる。
【００１９】
図６は、本発明の第２の実施例であるノートＰＣ１０の動作について説明するフローチャート図である。
第２の実施例では、第１の実施例と同様に、まず、図４のアンカー番組登録画面３０７より、アンカー番組の登録設定が行われる（Ｓ５０１）。次に、アンカー番組から他の番組への番組切替が行われた否かを検出し（Ｓ５０２）、番組切替が検出された場合には、アンカー番組に対するＨＤＤ２０５への録画を開始する（Ｓ５０３）。アンカー番組の録画中に、他の番組からアンカー番組への切替えがされたか否かを検出し（Ｓ５０４）、アンカー番組への切替えが検出された場合には、アンカー番組の録画を継続しながら、ＨＤＤ２０５に記録されたアンカー番組の記録データの先頭から所定時間（６０秒）進めた位置から再生する（Ｓ５０５）。
【００２０】
このように第２の実施例によれば、第１の実施例の効果に加え、例えばアンカー番組がＣＭ（コマーシャル）放送に変わった時点でユーザが他の番組に切り替えたような場合、その後他の番組からアンカー番組に番組が戻されると、アンカー番組の録画を継続しつつ、ＣＭ放送部分の一部或いは全部を省略した位置から再生させることができる。
【図面の簡単な説明】
【００２１】
【図１】本発明の第１の実施例に係るノートＰＣが使用されるシステム構成を示す図。
【図２】本発明の第１の実施例に係るＥＰＧについて説明するための図。
【図３】本発明の第１の実施例に係る映像制御プログラムの機能構成を示す図。
【図４】本発明の第１の実施例に係るアンカー番組登録画面例を示す図。
【図５】本発明の第１の実施例に係る映像制御プログラムの動作フローチャート図である。
【図６】本発明の第２の実施例に係る映像制御プログラムの動作フローチャート図である。
【符号の説明】
【００２２】
１０・・・ノートＰＣ
２０１・・・制御部
２０２、２０３・・・チューナ部
２０５・・・ＨＤＤ
２０８・・・入力装置
２０６・・・グラフィックコントローラ
２０７・・・ＬＣＤ
２０９・・・映像制御プログラム
２１０・・・ＥＰＧ処理部
３０３・・・記録部
３０４・・・再生部
３０５・・・アンカー番組登録部
３０６・・・番組切替検出部
【図１】
2006311389.tif 000003
【図２】
2006311389.tif 000004
【図３】
2006311389.tif 000005
【図４】
2006311389.tif 000006
【図５】
2006311389.tif 000007
【図６】
2006311389.tif 000008